(57)【要約】【課題】他の通信端末とデータを共有する際の通信端末の操作性を向上させる技術の提供を目的とする。【解決手段】本発明に係る通信端末は、アプリケーションに関連する表示オブジェクトを含む複数の画面を表示する表示部と、送信部と、タッチ入力を受け付けるタッチ入力受付部と、少なくとも前記アプリケーションに関連するアイコンと、前記画面上での前記アイコンの配置情報と、アプリケーション名と、前記アプリケーションの取得元情報とを含む画面情報を記憶する記憶部と、前記タッチ入力受付部が受け付けた入力に基づいて選択された前記画面に関連付けられた画面情報を、前記送信部に送信させる実行部を備えることを特徴とする。【選択図】図４
2014216868.tif 000002
【特許請求の範囲】
【請求項１】
アプリケーションに関連する表示オブジェクトを含む複数の画面を表示する表示部と、
送信部と、
タッチ入力を受け付けるタッチ入力受付部と、
少なくとも前記アプリケーションに関連するアイコンと、前記画面上での前記アイコンの配置情報と、前記アプリケーションの取得元情報と、を含む画面情報と、前記アプリケーションを記憶する記憶部と、
前記タッチ入力受付部が受け付けた入力に基づいて選択された前記画面に関連付けられた画面情報を、前記送信部に送信させる実行部を備えることを特徴とする通信端末。
【請求項２】
請求項１に記載の通信端末において、前記表示部はさらに、複数の画面に関連するサムネイル画像と、前記画像情報を送信する送信先を示す画像を表示して、
前記実行部は、前記タッチ入力受付部より、前記サムネイル画像へのタッチの後、前記送信先を示す画像へのタッチが受け付けられた場合に前記送信部に前記画像情報を送信させることを特徴とする。
【請求項３】
請求項１及至２に記載の通信端末において、
前記送信部は、近距離通信により前記画像情報を送信する。
【請求項４】
請求項１及至３に記載の通信端末において、
受信部をさらに備え、
前記実行部は、前記受信部が画面情報を受信すると、前記表示部に前記画面情報の表示先を選択する入力を受け付ける選択画面を表示させる。
【請求項５】
請求項４に記載の通信端末において、
前記表示先を選択する入力には、予め定められた特定の画面情報と、前記受信部が受信した画面情報を置き換えることを選択する入力が含まれ、当該入力が選択されることに基づいて、前記実行部は置き換えられた画面情報に基づく画面を前記表示部に表示させる。
【請求項６】
請求項４または５に記載の通信端末において、
前記表示先を選択する入力には、前記受信した画面情報に基づいて新たな画面の生成する入力が含まれ、当該入力が選択されることに基づいて、前記受信した画面情報に基づく新たな画面を表示部に表示させる。
【請求項７】
請求項１に記載の通信端末において、
前記記憶部には前記アプリケーションと関連するウィジェットを含むことを特徴とする。
【請求項８】
請求項１に記載の通信端末において、
前記アプリケーションの取得元情報とはプリケーションの取得元のＵＲＬであることを特徴とする。
【請求項９】
アプリケーションに関連する表示オブジェクトを含む複数の画面を表示する表示部と、
送信部と、を備える通信端末における情報送信方法であって、
タッチ入力を受け付けるタッチ入力受付ステップと、
少なくとも前記アプリケーションに関連するアイコンと、前記画面上での前記アイコンの配置情報と、アプリケーション名と、前記アプリケーションの取得元情報とを含む画面情報を記憶する記憶ステップと、
前記タッチ入力受付ステップが受け付けた入力に基づいて選択された前記画面に関連付けられた画面情報を、前記送信部に送信させる送信ステップを備えることを特徴とする通信
端末の情報送信方法。
【発明の詳細な説明】
【技術分野】
【０００１】
本発明は、携帯電話機やＰＤＡ（Personal Digital Assistant）、タブレットＰＣ（Tablet Personal Computer）、電子書籍端末、携帯ゲーム機、スマートフォン等の通信端末に関するものである。
【背景技術】
【０００２】
通信端末において、データを所定のアプリケーションで実行するための形式に変換してメールや近距離通信などによって送信する従来技術がある。
【先行技術文献】
【特許文献】
【０００３】
【特許文献１】特開２００６−７４５８２公報
【発明の概要】
【発明が解決しようとする課題】
【０００４】
ところで、スマートフォンなどの通信端末では、例えば、ユーザーが複数あるホーム画面上の任意の位置に、アプリケーションに関連するアイコンやウィジェットなどを配置することが可能である。しかしながら、従来技術では、上記したホーム画面上でのアイコンやアイコンの配置などに関する情報を他者と共有しようとする場合、ユーザーはメールや近距離通信により、それらのデータを個々に送るような煩雑な操作を必要としていた。
【０００５】
そこで、本発明は上述の点に鑑みて成されたものであり、他の通信端末とデータを共有する際の通信端末の操作性を向上することが可能な技術の提供を目的とする。
【課題を解決するための手段】
【０００６】
上記した課題を解決する本発明の実施例について説明する。本発明の一態様である通信端末は、アプリケーションに関連する表示オブジェクトを含む複数の画面を表示する表示部と、送信部と、タッチ入力を受け付けるタッチ入力受付部と、少なくとも前記アプリケーションに関連するアイコンと、前記画面上での前記アイコンの配置情報と、前記アプリケーションの取得元情報と、を含む画面情報と、前記アプリケーションを記憶する記憶部と、前記タッチ入力受付部が受け付けた入力に基づいて選択された前記画面に関連付けられた画面情報を、前記送信部に送信させる実行部を備えることを特徴とする。
【０００７】
本発明の一態様である通信端末において、前記表示部はさらに、複数の画面に関連するサムネイル画像と、前記画像情報を送信する送信先を示す画像を表示して、前記実行部は、前記タッチ入力受付部より、前記サムネイル画像へのタッチの後、前記送信先を示す画像へのタッチが受け付けられた場合に前記送信部に前記画像情報を送信させる。
【０００８】
本発明に係る通信端末において、前記送信部は、近距離通信により前記画像情報を送信する。
【０００９】
本発明の一態様である通信端末は、受信部をさらに備え、前記実行部は、前記受信部が画面情報を受信すると、前記表示部に前記画面情報の表示先を選択する入力を受け付ける選択画面を表示させる。
【００１０】
本発明の一態様である通信端末において、前記表示先を選択する入力には、予め定められた特定の画面情報と、前記受信部が受信した画面情報を置き換えることを選択する入力
が含まれ、当該入力が選択されることに基づいて、前記実行部は置き換えられた画面情報に基づく画面を前記表示部に表示させる。
【００１１】
本発明の一態様である通信端末において、前記表示先を選択する入力には、前記受信した画面情報に基づいて新たな画面の生成する入力が含まれ、当該入力が選択されることに基づいて、前記受信した画面情報に基づく新たな画面を表示部に表示させる。
【００１２】
本発明に係る通信端末において、前記記憶部には前記アプリケーションと関連するウィジェットを含む。
【００１３】
本発明の一態様である通信端末において、前記アプリケーションの取得元情報とはプリケーションの取得元のＵＲＬである。
【００１４】
また、本発明の一態様である通信端末において、アプリケーションに関連する表示オブジェクトを含む複数の画面を表示する表示部と、送信部と、を備える通信端末における情報送信方法であって、タッチ入力を受け付けるタッチ入力受付ステップと、少なくとも前記アプリケーションに関連するアイコンと、前記画面上での前記アイコンの配置情報と、アプリケーション名と、前記アプリケーションの取得元情報とを含む画面情報を記憶する記憶ステップと、前記タッチ入力受付ステップが受け付けた入力に基づいて選択された前記画面に関連付けられた画面情報を、前記送信部に送信させる送信ステップを備えることを特徴とする。
【発明の効果】
【００１５】
本発明によれば、他の通信端末とデータを共有する際の操作性を向上させた通信端末、および、データ送信方法を提供することができる。
【００１６】
本発明の効果ないし意義は、以下に示す実施の説明により明らかとなろう。ただし以下の実施の形態は、あくまでも本発明を実施化する際の一つの例示であって、本発明は、以下の発明の実施の形態に記載されたものになんら制限を受けるものではない。
【図面の簡単な説明】
【００１７】
【図１】通信端末の外観図である。
【図２】通信端末が表示する画面の一例を示す図である。
【図３】通信端末の主に電気的構成を示すブロック構成図である。
【図４】通信端末が処理するホーム画面送信プログラム３４０のフローチャートである。
【図５】通信端末が処理するホーム画面受信プログラム３５０のフローチャートである。
【図６】通信端末が表示する画面の一例を示す図である。
【図７】通信端末が表示する画面の一例を示す図である。
【図８】通信端末が表示する画面の一例を示す図である。
【発明を実施するための形態】
【００１８】
本発明の実施の形態に係る通信端末の概要を説明する。本発明の一実施例に係る通信端末では、アイコンやウィジェットなどの表示オブジェクトを含むホーム画面に関連する情報を送信する操作が行われた場合、選択されたホーム画面上に表示オブジェクトに関する画面情報（ホーム画面情報）を、指定した通信端末へ送信することができる。以下の実施例では、図１〜図８を用いて、本発明の通信端末の一態様について具体的に説明する。
【００１９】
〔構成〕
まず、図１〜図３を用いて本発明の実施の一態様である通信端末１００が備える構成について説明する。
【００２０】
図１は、通信端末１００の外観図である。図１（ａ）は通信端末１００の正面図であり、図１（ｂ）は通信端末１００の背面図である。図１に示す通信端末１００の外観には、表示部１１０、タッチ入力部１２０、キー入力部１３０、音出力部１４０、音入力部１５０、発光部１６０が備えられている。
【００２１】
表示部１１０は、カラー表示を行うバックライト方式の液晶ディスプレイで構成され、液晶パネルと、当該液晶パネルに光を照射するためにバックライトを備える。表示部１１０は後述する制御部２３０から入力された制御信号に基づきアイコンやウィジェットなどの表示オブジェクト、画像などの各種情報を表示する。なお、表示部１１０は液晶ディスプレイに限らず、例えば、有機ＥＬディスプレイであってもよいし複数のＬＥＤがマトリックス上に配列されたディスプレイであってもよい。
【００２２】
タッチ入力部１２０は、表示部１１０の表示面上に配され、ユーザーからのタッチ操作を受け付ける。タッチ入力部１２０は、タッチ操作を入力信号として制御部２３０に出力する。
【００２３】
タッチ入力部１２０は、タッチ操作を受け付けた位置を検出して、検出した位置に対する座標データを制御部２３０に出力する。つまり、ユーザーは、タッチ入力部１２０に対してタッチ操作を行うことによって、操作位置や、操作方向などを携帯電話機１００に入力する。
【００２４】
ユーザーは、タッチ入力部１２０に指を触れることにより各種のタッチ操作を行うことができる。タッチ操作の種類として、タップ操作、フリック操作、スライド操作、ドラッグ操作、ロングタップ操作等が挙げられる。タップ操作は、タッチ入力部１２０に指を接触させた後、短時間のうちにタッチ入力部１２０より指を離す操作である。フリック操作は、タッチ入力部１２０を指で任意の方向に弾く操作である。スライド操作は、タッチ入力部１２０に指を接触させたまま任意の方向へ移動させる操作である。ドラッグ操作は、スライド操作が行われた後、タッチ入力部１２０から指を離す操作である。つまり、フリック操作、スライド操作およびドラッグ操作は、タッチ位置の移動を伴うタッチ操作である。ロングタップ操作は、タッチ入力部１２０に指を接触させた後、所定時間、同じ位置で接触を維持し、タッチ入力部１２０から指を離す操作である。
【００２５】
タッチ操作についてより具体的に説明する。たとえば、タッチ入力部１２０に対する所定のタッチ位置への入力が検出された後、予め定めた第１時間以内にタッチが検出されなくなった場合、即ち、タッチ入力部１２０より指を離す操作があった場合、制御部２３０によりタップ操作がなされたと判定される。タッチ入力部１２０に対する所定のタッチ位置への入力が検出され、予め定めた第２時間以内に予め定めた第１距離以上タッチ位置が移動した後、タッチ位置への入力が検出されなくなった場合、制御部２３０によりフリック操作がなされたと判定される。タッチ入力部１２０が所定のタッチ位置への入力を検出した後、予め定めた第２距離以上、タッチ位置が移動されると、制御部２３０によりスライド操作がなされたと判定される。タッチ入力部１２０に対する所定のタッチ位置への入力が検出された後、予め定めた第３時間以上、タッチ位置が検出され続け、さらにその後、タッチ位置が検出されなくなった場合、制御部２３０によりロングタップ操作がなされたと判定される。
【００２６】
タッチ操作について、図２を用いてより詳細に説明する。図２は表示部１１０に表示される画面（以下ホーム画面という）の一例である。当該画面にはメインタッチキー１２２
、アプリケーションに関連するアイコン１２４、アプリケーションを簡易的に起動したウィジェット１２６が含まれる。
【００２７】
メインタッチキー１２２は、タッチ操作に基づき各種を実行する。たとえば、メニューキー１２２（ａ）に対するタップ操作が受け付けられると、画面にメニュー画面が表示される。メニュー画面には、例えば、アドレス帳を表示するボタン、表示の明るさを変更するボタン、近距離通信のオンオフを切り替えるボタンなどが含まれる。アプリケーションを起動時にホームキー１２２（ｂ）に対するタップ操作が受け付けられると、表示部１１０でのアプリケーションの実行画面の表示が、図２に示すホーム画面の表示に切り替えられる。また、戻るキー１２２（ｃ）に対するタップ操作が受け付けられると、現在、表示部１１０に表示されている前に表示されていた画面が表示部１１０に表示される。
【００２８】
アイコン１２４はアプリケーションのショートカットを示す表示オブジェクトの一種であり、タップ操作が受け付けられるとアイコンに関連するアプリケーションが起動される。例えば、アイコンには、電話機能を実行するアイコンや、メール機能を起動するアイコンや、ゲームを起動するアイコンなどがある。また、アイコン１２４に対してロングタップ操作が受け付けられると、アイコン１２４の表示位置が移動可能な状態となる。その後、画面上でアイコン１２４が移動され、指を離す操作が受け付けられると、指が離された位置にアイコン１２４が配置される。
【００２９】
ウィジェット１２６は、表示オブジェクトの一種であり、アプリケーションが簡易的に起動して、現在の状況に応じた情報を表示する。ウィジェットには、例えば、天気情報を表示するウィジェットやスケジュールを表示するウィジェットなどがある。ウィジェット１２６に対してタップ操作が受け付けられると、関連するアプリケーションが起動される。さらに、アイコンと同様の操作によって画面上の任意の位置に配置できる。詳細は後述するが、通信端末１００には、図２に示すようなホーム画面が複数記憶されている。表示部１１０には一つのホーム画面が表示され、左右のフリック操作に基づき、表示されるホーム画面が切り替えられる。
【００３０】
キー入力部１３０は、ハードキーで構成され、ユーザーからの操作を受け付ける。キー入力部１３０が受け付けた入力は、入力信号として制御部２３０に出力される。キー入力部１３０には、例えば、音量の調整や電源のオンオフの切り替えを行うための入力が割り当てられている。
【００３１】
音出力部１４０は、スピーカなどで構成され信号処理部２１０から出力されたアナログ信号に基づき外部に音を出力する機能を有する。
【００３２】
音入力部１５０は、マイクなどで構成され音声などの外部からの音をアナログ信号に変換して信号処理部２１０に出力する機能を有する。
【００３３】
発光部１６０は、ＬＥＤなどの発光素子により構成される。発光部１６０は制御部２３０から出力された制御信号によって外部へ光を照射する。発光部１６０は、電話の着信、メールの受信、アラーム日時到来などを、外部へ光を照射することにより報知する。
【００３４】
図３は、通信端末１００のブロック構成図である。図３に示す通信端末１００は、タッチ入力部１２０、キー入力部１３０、音出力部１４０、音入力部１５０、発光部１６０、タッチパネル１７０、アンテナ部１８０、無線部１９０、振動部２００、信号処理部２１０、制御部２３０、記憶部２４０、電源部２２０により構成される。
【００３５】
図３に図示された構成について説明する。なお、図１に図示された構成と重複する構成
については説明を省略する。
【００３６】
タッチパネル１７０は、前述したタッチ入力部１２０が表示部１１０の表面を覆うように構成される。なお、本発明を実施する上ではタッチ入力部１２０と表示部１１０は別々に構成されることとしてもよい。つまり、タッチ入力部１２０と表示部１１０がタッチパネル１７０として一体となった構成でなくてもよい。
【００３７】
アンテナ部１８０は、所定の周波数の電磁波を受信して高周波信号として無線部１９０に出力する。また無線部１９０より出力された高周波信号を所定の周波数の電磁波として基地局へ出力する。
【００３８】
無線部１９０は、他携帯端末や基地局と無線通信を行う。無線部１９０はアンテナ部１８０から入力された所定の高周波信号に復調処理、及び、復号処理を施してデジタルの音声信号へと変換する。また、無線部１９０は、制御部２３０から入力されたデジタルの音声信号に符号化処理、及び、変調処理を行い高周波信号に変換してアンテナ部１８０へ出力する。さらに、本実施例の通信端末１００は、メール機能を有しており、無線部１９０を介して他の通信端末などとメールの送受信を行う。
【００３９】
近距離通信部１９５は、Ｂｌｕｅｔｏｏｔｈ（登録商標）や赤外線通信などによって近距離通信を行う。
【００４０】
振動部２００は、モーターによって構成され、制御部２３０から出力された制御信号によって機械的振動を生じさせる。振動部２００は、例えば、電話の着信、メールの受信、アラーム日時到来などを機械的振動によって報知する。
【００４１】
信号処理部２１０は、制御部２３０から出力されたデジタル信号をアナログ信号に変換して、変換したアナログ信号を音出力部１４０へ出力する。さらに、信号処理部２１０は音入力部１５０より入力されたアナログ信号をデジタル信号に変換して制御部２３０へ出力する。
【００４２】
電源部２２０は、リチウムイオン電池などの充放電可能な電池によって構成される。さらに電源部２２０は通信端末１００に備えられた各構成へ電力を供給する。
【００４３】
制御部２３０は、ＣＰＵ及びＤＳＰなどで構成される。制御部２３０は通信端末１００に備えられた各構成要素を制御することによって通信端末１００を統括的に管理して、各種機能を実行する。例えば、制御部２３０は、キー入力部１３０、または、タッチ入力部１２０が受け付けた入力に基づいて近距離通信機能、メール送信機能などを実行する。さらに制御部２３０は、記憶部２４０に記憶されたプログラムを実行する。
【００４４】
記憶部２４０は、ＲＯＭ（Read Only Memory）、及び、ＲＡＭ（Random Access Memory）で構成される。記憶部２４０には、通信端末１００で実行されるプログラムや、表示部１１０に表示される表示情報などが記憶される。以下に記憶部２４０が有する特徴的な構成を説明する。
【００４５】
記憶部２４０にはプログラム記憶領域３２０と処理情報記憶領域３３０が備えられている。プログラム記憶領域３２０には、通信端末１００にて実行されるプログラムが記憶されている。処理情報記憶領域３３０には、プログラムが実行された場合に処理される各種情報（下記にて説明）が記憶される。以後、プログラム記憶領域３２０と処理情報記憶領域３３０を区別しない場合はまとめて「記憶部２４０」ということにする。プログラム記憶領域３２０には、例えば、音声通信を行うためのプログラム、ウェブサイトを表示する
ためのブラウザ、メールの作成、表示、および、送受信を行うためのメールプログラム等が記憶されている。さらにプログラム記憶領域３２０には、本発明に係る特徴的なプログラムとして、後述するホーム画面情報を送信するためのホーム画面送信プログラム３４０（図４）、受信したホーム画面情報を展開するためのホーム画面受信プログラム３５０（図５）が記憶されている。
【００４６】
処理情報記憶領域３３０には、本発明に係る特徴的な構成として、ホーム画面に関する画面情報（以下、ホーム画面情報という）を記憶するホーム画面情報記憶部３６０と、名前と関連付けてメールアドレスや電話番号や所定の画像（以下ではアドレス画像という）などを含むアドレス情報を記憶したアドレス帳３７０、そして、近距離通信を許可するアドレス情報を記憶した近距離通信先リスト３８０が記憶されている。
【００４７】
ホーム画面情報記憶部３６０には、例えば、図２に示すように、表示部１１０の電源が押下された場合に表示されるホーム画面に関する情報が記憶されている。より具体的に説明する。ホーム画面情報記憶部３６０には、それぞれのホーム画面を構成するためのホーム画面情報が記憶されている（例えば、初期設定ではホーム画面は５つの画面とする）。表示部１１０には一つのホーム画面が表示され、左右のフリック操作に基づき、表示されるホーム画面が切り替えられる。それぞれのホーム画面には、ユーザーから受け付けた操作に基づけ設定された所定の表示オブジェクト（アイコンとウィジェットを含む）が含まれる。ホーム画面情報には、表示オブジェクトのホーム画面上での配置情報（座標情報）、表示オブジェクトに対応するアプリケーションの取得元情報（取得元のＵＲＬ）、サムネイル画像、アプリケーション名、表示オブジェクトに関連付けられたアプリケーションなどが含まれる。
【００４８】
表示情報記憶部３９０には、図６、図７、図８に示すように、プログラム記憶領域３２０に記憶されたプログラムが実行された際に表示部１１０に表示される情報が記憶される。
【００４９】
ここで、制御部２３０がプログラム記憶領域３２０に記憶されたプログラムを実行するために備える構成について説明する。
【００５０】
実行部２５０は、記憶部２４０に記憶されたプログラムを実行する。以下では実行２５０が実行するホーム画面情報を送信するためのホーム画面送信プログラム３４０（図４）、受信したホーム画面情報を展開するためのホーム画面受信プログラム３５０（図５）の概要について説明する。
【００５１】
実行部２５０は、ホーム画面送信プログラム３４０を実行して、ユーザーによって選択されたホーム画面情報を所定の相手先へ送信する。ホーム画面送信プログラム３４０ではまず、ホーム画面送信を実行する操作があるか否かを判断する。ホーム画面送信を実行する操作とは、たとえば、ホームキー１２２（ｂ）へのロングタップ操作である。ホーム画面送信を実行する操作があったと判断された場合、図２（ａ）の下部に示すように記憶部２４０に記憶されたホーム画面に基づき生成されたホーム画面のサムネイル画面５１０が表示部１１０に表示される。そして、近距離通信がオンとなっている場合は、近距離通信先リスト３８０に基づき、近距離通信を許可したアドレス情報を有する通信端末を探索する。
【００５２】
次に、近距離通信を許可したアドレス情報を有する通信端末が近距離通信圏内にある場合は、近距離通信候補として図６（ａ）の上部に示すようにそれらの端末に関する情報を表示部１１０に表示する。図６（ａ）の例では、アドレス情報に含まれるアドレス画像５２０が表示部１１０表示される。そして、表示部１１０に表示されたサムネイル画像５１０のうち送信するホーム画面情報に関するサムネイル画像を選択して、図２の上部に表示されたアドレス画像５２０上へスライドするタッチ操作が行われた場合、選択されたサムネイル画像に対応するホーム画面情報が選択されたアドレス画像５２０に対応する相手先へ送信される。サムネイル画像が選択された場合、図６（ｂ）のように、選択されたサムネイル画像５４０は他のサムネイル画像と異なる態様にて表示される。
【００５３】
一方、近距離通信先候補が見つからない場合、設定されていない場合、もしくは近距離通信がオフとされている場合は、その旨が表示部１１０に表示される（図７（ａ）、（ｂ））。そして、アドレス帳よりホーム画面情報を送信する相手先が選択された場合は、選択された送信先へホーム画面情報がメールにて送信される。
【００５４】
次に、ホーム画面受信プログラム３５０について説明する。ホーム画面受信プログラム３５０では、ホーム画面情報が受信されたか否かを監視し、受信した場合は、図８（ａ）に示すように、ホーム画面情報を受信した旨を表示部１１０に表示するとともに展開操作を受け付ける。展開操作が受け付けられた場合、受け付けた展開操作に基づき、第１ホーム画面、もしくは、ホーム画面情報に基づき新たなホーム画面を展開する。図８（ｂ）は、他の通信端末にて選択されたサムネイル画像５４０に対応するホーム画面を通信端末１００が受信して、展開操作を受け付け表示部１１０に表示されたホーム画面の一例を示す。
【００５５】
判断部２６０は、制御部２３０へ入力された入力の種別を判断する。例えば、判断部２６０は、タッチ入力部１２０より受け付けた入力がホーム画面送信プログラム３４０を開始するための入力であるか、ホーム画面情報を展開する操作であるか、送信するホーム画面を選択する操作であるかなどを判断する。また判断部２６０は、実行部２５０が各種プログラムを処理するときに必要となる各種判断を行う。
【００５６】
表示制御部２７０は、実行部２５０が実行するプログラムに基づき、図２、６、７、８に示すような画面を表示部１１０に表示する制御を行う。
【００５７】
〔処理の流れ〕
次に、実行部２５０が実行するホーム画面送信プログラム３４０について図４のフローチャートに基づき説明する。
【００５８】
はじめに、ホーム画面送信プログラム３４０では、判断部２６０が、タッチ入力部１２０よりホーム画面送信を実行するための入力が受け付けられたか否かを監視する（Ｓ１１０）。
【００５９】
判断部２６０が、タッチ入力部１２０よりホーム画面送信を実行するための入力が受け付けられたと判断した場合、表示制御部２７０は、図２に示すように、記憶部２４０に記憶されたホーム画面情報に基づき、各ホーム画面のサムネイル画像を生成して、表示部１１０に表示する（Ｓ１１５）。
【００６０】
次に、判断部２６０は、表示部１１０に表示されたホーム画面上のサムネイル画像へのタッチ操作を受け付けたか否かを判断して（Ｓ１１５）、タップ操作を受け付けたと判断した場合（Ｓ１１５：Ｙｅｓ）、表示制御部２７０送信候補として決定した旨を表示する（Ｓ１２０）。そして、実行部２５０は、選択されたサムネイル画像に対応するホーム画面情報を記憶部２４０より読み出す。ホーム画面情報には、ホーム画面上に表示される表示オブジェクトに関連する配置情報、表示オブジェクトに関連付けられたアプリケーション、アプリケーションのダウンロード元ＵＲＬ、サムネイル画像などが含まれる。
【００６１】
判断部２６０は、Ｓ１２５が処理された後、または、ホーム画面を選択する操作がないと判断した場合（Ｓ１１５：Ｎｏ）、近距離通信がオンとなっているか否かを判断する。判断部２６０が、送信候補となる近距離通信が可能な端末があると判断した場合（Ｓ１５０：Ｙｅｓ）、図６に示すように、表示制御部２７０により表示部１１０に送信候補画像５２０が表示される（Ｓ１６０）。
【００６２】
そして、判断部２６０により、送信候補画像５２０を選択する操作が受け付けられたと判断された場合（Ｓ１７０：Ｙｅｓ）、表示部１１０に選択した送信候補画像５２０が示される（Ｓ１８０）。
【００６３】
次に判断部２６０により、近距離送信を実行する操作が受け付けられたと判断されると、実行部２５０によって、ホーム画面情報が選択された送信候補へ近距離通信により送信される（Ｓ２００）。
【００６４】
ここで、Ｓ１１５のホーム画面選択操作とはサムネイル画像へのタッチであり、Ｓ１７０の近距離送信候補選択操作とは、サムネイル画像が選択された位置からタッチが継続されたまま送信候補が表示された領域へタッチ位置が移動される操作を指す。そして、Ｓ２００の近距離送信を実行する操作とは、上記したタッチ位置を移動する操作の後に、タッチ入力部より指が離される操作を指す。つまり、ユーザーのスライド操作に基づいて選択されたホーム画面情報が、選択された近距離通信先へ近距離通信によって送信される。
【００６５】
Ｓ１５０の処理にて、近距離送信候補がない（Ｓ１５０：Ｎｏ）、つまり、近距離通信候補となる端末が記憶部２４０に予め設定されていない場合、もしくは、近距離通信圏内にて、近距離通信候補となる他の通信端末との通信が確立できない場合は、表示部１１０に図７（ａ）に示すような近距離通信候補がない旨のメッセージ５５０が表示される。
【００６６】
一方、近距離通信がオフであった場合（Ｓ１３０：Ｎｏ）、表示制御部２７０は表示部１１０に図７（ｂ）に示すようなメッセージ５６０を表示させる。図７（ｂ）の画面表示中に、Ｙｅｓが選択された場合、つまり、メッセージ５６０中のＹｅｓと表示された領域へのタップ操作が受け付けられた場合（Ｓ１３４：Ｙｅｓ）、実行部２５０によってＳ１５０の処理が実行される。
【００６７】
Ｓ１５２の処理後、もしくは、判断部２６０によりＳ１３４の処理にて近距離通信の設定をオンにする操作が受け付けられなかった場合、判断部２６０はアドレス帳を表示する操作が受け付けられたか否かを判断する。当該操作は、例えば、メニューキー１２２（ａ）へのタップ操作に基づき表示されるメニュー画面からアドレス帳を表示させる操作を指す。アドレス帳を表示する操作であった場合は、表示制御部２７０により表示部１１０へアドレス帳が表示され（Ｓ２１０）。そして、判断部２６０が、アドレスを選択する操作が受け付けられた後、メール送信する操作が受け付けられたと判断した場合、選択された相手先へ、メールにてホーム画面情報が送信される。
【００６８】
一方、判断部２６０によりＳ２００でＮｏ、Ｓ２２０でＮｏ、Ｓ１９０でＮｏ、もしくは、Ｓ２３０でＮｏと判断された場合、判断部２６０はさらに、キャンセル操作が受け付けられたか否かを判断し、キャンセル操作が受け付けられたと判断した場合は（Ｓ２５０：Ｙｅｓ）、実行部２５０はホーム画面送信プログラムを終了する。キャンセル操作が受け付けられなかったと判断した場合は（Ｓ２５０：Ｎｏ）、実行部２５０はＳ１１０の処理を再度実行する。ここで、キャンセル操作とは、例えば、ホームキー１２２（ｂ）へのタップ操作を指す。
【００６９】
次に実行部２５０が実行するホーム画面受信プログラム３５０の処理の流れについて図
５を用いて説明する。
【００７０】
実行部２５０により、ホーム画面受信プログラム３５０が実行されると、判断部２６０が、ホーム画面情報を受信したか否かを監視する（Ｓ５００）。ホーム画面情報は近距離通信、もしくはメールによって受信される。
【００７１】
次に判断部２６０は、ホーム画面情報を展開する操作が受け付けられたか否かを判断する。ホーム画面情報を展開する操作とは、例えば、近距離通信で受信したホーム画面情報を選択する操作、もしくは、メールに添付されたホーム画面情報を選択する操作である。判断部２６０が、ホーム画面を選択する操作を受け付けたと判断した場合、実行部２５０は、表示部１１０に図８（ａ）に示す画面を表示させる。
【００７２】
そして、図８（ａ）の画面が表示部１１０に表示されている場合に、判断部２６０が、第１ホーム画面に展開、を選択する操作（例えば、メッセージ５７０中の第１ホーム画面に展開と表示された領域へのタップ操作）を受け付けたと判断したとき、実行部２５０は、予め受信した端末に記憶されている第１ホーム画面に関するホーム画面情報に、受信したホーム画面情報を上書きして（Ｓ５３０）、上書きしたホーム画面情報に基づき、表示部１１０に第１ホーム画面を表示させる。
【００７３】
図８（ａ）の画面が表示部１１０に表示されている場合に、判断部２６０が、新たなホーム画面に展開、を選択する操作（例えば、メッセージ５７０中の新たなホーム画面に展開と表示された領域へのタップ操作）を受け付けたと判断したとき、実行部２５０は、受信したホーム画面情報に基づき、新たなホーム画面を生成して、表示部１１０へ生成した新たなホーム画面を表示させる。
【００７４】
図８（ａ）の画面が表示部１１０に表示されている場合に、判断部２６０が、展開しない、を選択する操作（例えばメッセージ５７０中の、展開しないと表示された領域へのタップ操作）、つまりホーム画面情報の展開をキャンセルする操作を受け付けたと判断したとき、実行部２５０はホーム画面情報の展開を中止する。
【００７５】
なお、展開されたホーム画面が表示部１１０に表示されている場合に、当該ホーム画面に含まれるアイコンもしくはウィジェットに対する所定の操作（例えば、タップ操作）が受け付けられると、アイコンやウィジェットに関連するアプリケーションが実行される。
【００７６】
別の態様として、アイコンやウィジェットに関連するアプリケーションがホーム画面情報を受信した他の通信端末に既に記憶されている場合は、アプリケーションの情報を上書きするか否かを確認するメッセージを表示部１１０に表示してユーザーに上書きする処理を実絋するか否かを選択させることとしてもよい。また、自動的に既存のアプリケーションに上書きすることとしてもよい。
【００７７】
さらに別の態様として、アイコンやウィジェットは、それらに関連するアプリケーションの取得元ＵＲＬへのショートカットとして機能することとしてもよい。例えば、アプリケーションに他人の著作権が付与されている場合に、上記のようにアイコンやウィジェットは所定のＵＲＬへアクセスするためのショートカットとして機能する。
【００７８】
〔その他の実施例〕
その他の実施例について以下に説明する。
【００７９】
本発明は、図１に示すようなストレート型の通信端末１００に限られず、タッチパネル１７０が備えられた折り畳み型の通信端末１００やスライド型の携帯端末に適用すること
としてもよい。
【００８０】
ホーム画面送信プログラム３４０の処理について、Ｓ１３０〜Ｓ１５２の処理と、Ｓ１１０〜Ｓ１２５の処理とは順序を入れ替えて処理することとしてもよい。つまり、判断部２６０がホーム画面送信を実行する操作を受け付けたと判断した場合、まず判断部２６０がＳ１３０に係る近距離通信がオンなっているか否かを判断した後、表示部に１１０に送信するホーム画面の候補を表示する処理（Ｓ１１０）を実行することとしてもよい。
【００８１】
さらに、ホーム画面情報には、背景画像と、背景画像のそれぞれに他人が著作権を有するデータであるか否かを示す情報が記憶されていることとしてもよい。そして、送信するホーム画面が選択された時、判断部２６０が当該情報に基づき他人が著作権を有するために他の通信端末に送信できない背景画像がホーム画面情報に含まれるか否かを判断する。送信できないと判断された場合は、その旨が表示部１１０に表示されることとしてもよい。また、送信できると判断された場合は、背景画像を含むホーム画面情報を選択した他の通信端末に送信することとしてもよい。このような態様により、他の通信端末と、背景画像を含めたホーム画面情報の共有が可能となる。
【００８２】
また、本実施例で説明したプログラムは、データ配信用のサーバのＨＤＤに記憶され、ネットワークを介して通信端末１００に配信されてもよい。また、ＣＤ，ＤＶＤ，ＢＤ（Ｂｌｕ−ｒａｙ（登録商標）  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、当該複数のプログラムが本実施例と同等の構成を備える電子文書端末にインストールされた場合、本実施例と同等の効果が得られる。
【００８３】
なお、Ｓ５４０の処理においては、第１ホーム画面のホーム画面情報に受信したホーム画面情報を上書きすることとした。しかしながら、受信したホーム画面情報に基づくホーム画面が第１ホーム画面に設定されるとともに、既存の第１ホーム画面とその他のホーム画面は、順次第２、第３ホーム画面と順番が変更されることとしてもよい。
【００８４】
さらに本実施例は、上記実施例に限らず、いわゆるスマートフォンやＰＤＡ（Ｐｅｒｓｏｎａｌ  Ｄｉｇｉｔａｌ  Ａｓｓｉｓｔａｎｔ）やノートブック型ＰＣなどに適用されてもよい。
【符号の説明】
【００８５】
通信端末１００
表示部１１０
タッチ入力部１２０
キー入力部１３０
音出力部１４０
音入力部１５０
発光部１６０
タッチパネル１７０
アンテナ部１８０
無線部１９０
振動部２００
信号処理部２１０
電源部２２０
制御部２３０
記憶部２４０
実行部２５０
判断部２６０
表示制御部２７０
プログラム記憶領域３２０
処理情報記憶領域３３０
ホーム画面送信プログラム３４０
ホーム画面受信プログラム３５０
ホーム画面情報記憶部２６０
アドレス帳３７０
近距離通信先リスト３８０
表示情報記憶部３９０
【図３】
2014216868.tif 000003
【図４】
2014216868.tif 000004
【図５】
2014216868.tif 000005
【図１】
2014216868.tif 000006
【図２】
2014216868.tif 000007
【図６】
2014216868.tif 000008
【図７】
2014216868.tif 000009
【図８】
2014216868.tif 000010